(57)【要約】　　　（修正有）【課題】追加モジュールを着脱可能にベースモジュールに取り付ける。【解決手段】カセットは第１導体巻き取り手段に導く導体入口通路、導体間のスプライスを保持するための第１保持手段と第２導体巻き取り手段を備えた実質的に面を占めるベースモジュール、および導体を受け入れる第１の追加モジュールから成る。追加モジュールは、ベースモジュールと実質的に同一面を占め、脱着可能な接続手段によって、ベースモジュールに取り付けられる。ベースモジュールは、第２導体巻き取り手段を備え、第１の追加モジュールは、導体間の接続を保持するための保持手段を備えている。【選択図】図１
2004126500.tif 000002
【特許請求の範囲】
【請求項１】
巻き取りおよび導体間のスプライスを保持するためのモジュールカセットであって、前記カセットは下記部材からなっており：
実質的に面を占めるベースモジュール、前記モジュールは、第１導体巻き取り手段に導く導体入口通路、および、導体間のスプライスを保持するための第１保持手段とを備えている；
第２導体巻き取り手段；および
導体を受け入れる第１の追加モジュール、前記追加モジュールは、ベースモジュールと実質的に同一面を占め、そして、脱着可能な接続手段によって、ベースモジュールに取り付けられる、
前記ベースモジュールは、第２導体巻き取り手段を備え、そして、第１の追加モジュールは、導体間の接続を保持するための保持手段を備えていることを特徴とするモジュールカセット。
【請求項２】
導体を受け入れるための第２の追加モジュールを備える請求項１に記載のモジュールカセットであって、前記第２の追加モジュールは、前記ベースモジュールと実質的に同一面に位置し、そして、脱着可能な接続手段によって、前記第１の追加モジュールに取り付けられている。
【請求項３】
第２の追加モジュールは、導体間の接続を保持する保持手段を備えていることを特徴とする、請求項２に記載のモジュールカセット。
【請求項４】
前記接続保持手段は、スプライス保持手段および接続保持手段の中から選択されることを特徴とする、請求項１から３の何れか１項に記載のモジュールカセット。
【請求項５】
前記ベースモジュールは、前記入口通路と異なる導体出口通路を備えており、前記出口通路は、第１および第２巻き取り手段から来る導体を、少なくとも１つの前記追加モジュールへと誘導するように配置されていることを特徴とする、請求項１から４の何れか１項に記載のモジュールカセット。
【請求項６】
前記ベースモジュールは、前記巻き取り手段の１つにおける収納位置に挿入される、取り外し可能な第２スプライス保持手段を備えていることを特徴とする、請求項１から５の何れか１項に記載のモジュールカセット。
【請求項７】
前記脱着可能な接続手段は、ワンタッチ式締め付けタブ型であることを特徴とする、請求項１から６の何れか１項に記載のモジュールカセット。
【請求項８】
前記スプライス保持手段の１つを覆う少なくとも１つの保護カバーを備えていることを特徴とする、請求項１から７の何れか１項に記載のモジュールカセット。
【請求項９】
前記カセットが積層可能にかつ回転可能にハウジングサポートに搭載される、請求項１から８の何れかに記載のカセットを複数個備えた導体オーガナイザ。
【請求項１０】
積層された前記カセットの各々が、柔軟なカセット回転アームを備えており、前記アームは、カセットがオーガナイザの中の閉鎖位置にあるときに、折り曲げられて前記ベースモジュールに押し付けられ、前記カセットが開放位置に移動するときに、伸ばされることを特徴とする、請求項９に記載の導体オーガナイザ。
【発明の詳細な説明】
【０００１】
【発明の属する技術分野】
この発明は、カセットに関し、特に、導体を収納するカセットに関する。以下の説明において、用語「導体」とは、ワイヤ状の部材およびテープ心線状の部材を含み、特に、光ファイバ等の光を伝播する部材をいう。
【０００２】
【従来の技術】
コンテナにおける、導体、例えば、光ファイバの構造は、光ファイバを、最小曲率半径に従い、そして、操作が容易な状態で収納するカセットシステムの使用を必要とする。一般的に、現存するカセットは、ある数のスプライスのような保護された永久的な接続を保持するように設計されており、更に、巻き取り手段を用いて、スプライス（１対のファイバが相互に接続される）の余剰長さを収納することができるように設計されている。
【０００３】
アメリカ特許Ｎｏ．５，２４７，６０３は、光ファイバ対によって形成されたスプライスを巻き取り、保持するモジュールカセットを開示している。そのカセットは、面を実質的に占有し、光ファイバ対の第１のグループのための入口通路を有するベースモジュール、第１グループのファイバを巻き取る第１手段、および、光ファイバ対の第１グループと第２グループとの間に形成されたスプライスを保持するための手段からなっている。
【０００４】
【発明が解決しようとする課題】
第１の形態において、カセットは、ベースモジュールに挿入可能な、取り外し可能なレール型の接続手段によって、ベースモジュールの面において取り外し可能に備えられた追加の巻き取りモジュールを更に備えており、そして、上記接続手段は、光ファイバ対の第２のグループのファイバを巻き取るための第２手段を備えている。
【０００５】
他の態様において、従来の技術は、ベースモジュールに挿入可能な、取り外し可能なレール型接続手段によって、ベースモジュールの面に配置された追加の相互接続モジュールを備えている。モジュールは、ファイバの第２グループを誘導し、モジュールの出口においてファイバを例えば他のファイバに接続するためのものである。そのような状況下では、第２のグループのファイバは、それぞれ一方の端部にスプライスを、他方の端部にコネクタを有しており、ピッグテイルとして知られている中間物を結合し、第１のグループのファイバと他のファイバとの間を間接的に接続することができる。
【０００６】
上述した従来のカセットにおいては、ベースモジュールに、１個の追加モジュールを接合することができるだけであり、カセットの用途領域が限定されてしまう。
【０００７】
【課題を解決するための手段】
この発明の目的は、巻き取りおよび導体間のスプライスを保持するためのモジュールカセットを提供することにある。カセットは、ファイバスプライスの余剰の長さを巻き取る機能を果すベースモジュールからなっており、少なくとも１つの追加モジュールを着脱可能な接続によってベースモジュールに取り付けることができ、顧客の要求に従って決定される、少なくとも１つの導体接続機能を果す。
【０００８】
この目的のために、この発明は、巻き取りおよび導体間のスプライスを保持するためのモジュールカセットを提供する。
【０００９】
カセットは下記部材からなっており：
実質的に面を占めるベースモジュール、前記モジュールは、第１導体巻き取り手段に導く導体入口通路、および、導体間のスプライスを保持するための第１保持手段とを備えている；
第２導体巻き取り手段；および
導体を受け入れる第１の追加モジュール、前記追加モジュールは、ベースモジュールと実質的に同一面を占め、そして、脱着可能な接続手段によって、ベースモジュールに取り付けられる、
【００１０】
前記ベースモジュールは、第２導体巻き取り手段を備え、そして、第１の追加モジュールは、導体間の接続を保持するための保持手段を備えていることを特徴とするモジュールカセット。
【００１１】
保持される接続は、直接的（スプライス、ジョイント、コネクタ等のタイプ）、および／または間接的（ピッグテイル、ジャンパ、接続コード、または、ＷＤＭマルチプレクサ／ディマルチプレクサ型等）であり、永久的および／または一時的である。
【００１２】
この発明のモジュールカセットは、できるだけコンパクトな、全般として搭載するのが好ましい通常の機能のすべてを果すことができる。例えば、ベースモジュールは、第１の追加モジュールがクロス接続を行い、および／またはあらゆる部材を統合しつる、スプライスの巻き取りおよび保持ができる。
【００１３】
好ましくは、この発明のカセットは、導体を受け入れるための第２の追加モジュールを備え、前記第２の追加モジュールは、前記ベースモジュールと実質的に同一面に位置し、そして、脱着可能な接続手段によって、前記第１の追加モジュールに取り付けられている。
【００１４】
第２のモジュールを追加することによって、この発明のカセットのための可能な形態を拡大する。第２モジュールは、第１のモジュールと同一機能を果すことが出来、カセット内に含まれ、保持される接続部材のキャパシティを増大し、または、単に、カセットの出口に向かって導体を誘導するような機能を果すことができる。
【００１５】
好ましい態様において、第２の追加モジュールは、導体間の接続を保持する保持手段を備えている。
前記接続保持手段は、スプライス保持手段および接続保持手段の中から選択される。
【００１６】
例えば、第１および／または第２の追加モジュールのスプライス−保持手段は、保持されるスプライスの数を増大させることができ、および／または、オペレータ態様の機能として、保持されるスプライスの形式を広げることができる。
【００１７】
更に、各追加のモジュールは、混合型でもよい。例えば、同時に、２つの異なる形式の接続−保持手段からなっていてもよい。
ベースモジュールは、前記入口通路と異なる導体出口通路を備えており、前記出口通路は、第１および第２巻き取り手段から来る導体を、少なくとも１つの前記追加モジュールへと誘導するように配置されている。
【００１８】
更に、好ましい態様において、前記ベースモジュールは、前記巻き取り手段の１つにおける収納位置に挿入される、取り外し可能な第２スプライス保持手段を備えている。
使用に際して、第２のスプライス−保持手段は、少なくとも１つの取り外し可能な第１のスプライス−保持手段にとって代わることができ、または、第１のスプライス−保持手段の１つに関して、垂直方向に積層することができる。
【００１９】
更に、前記脱着可能な接続手段は、ワンタッチ式締め付けタブを備えたタイプである。
この発明のカセットは、好ましくは、前記スプライス保持手段の１つを覆う少なくとも１つの保護カバーを備えている。
この発明は、積層可能にかつ回転可能にハウジングサポートに搭載される、上述した複数個のカセットからなる導体オーガナイザを提供する。
【００２０】
オーガナイザにおいて積層された前記カセットの各々が、柔軟なカセット回転アームを備えており、前記アームは、カセットがオーガナイザの中の閉鎖位置にあるときに、折り曲げられて前記ベースモジュールに押し付けられ、前記カセットが開放位置に移動するときに、伸ばされる。
【００２１】
この発明の他の特徴および利点は、図面を参照しながら以下に詳細に説明するが、これらは純粋に説明のためになされるもので、これらに限定されるものではない。
【００２２】
【発明の実施の形態】
図１および図２は、この発明のモジュールカセット１、１’をそれぞれ示す。同一機能を発揮し、両態様において同一である構成要素には同一符号番号が付されている。
図から明らかなように、カセット１、１’は、ベースモジュール２、第１の追加モジュール２０、２０’、および、第２の追加モジュール２００、２００’からなっている。追加モジュール２０、２０’、２００、２００’は、ベースモジュールと実質的に同一面、例えば、水平面に配置され、そして、第１の追加モジュール２０、２０’をベースモジュールに接続し、第２の追加モジュール２００、２００’を第１の追加モジュール２０、２０’に接続するための脱着可能な接続手段を有している。カセット１、１’のモジュールおよびそこに取り付けられている付属物の全ては、鋳型成形のプラスチック材で作成されている。
【００２３】
ベースモジュール２は、主として下記部材からなっている：
・光ファイバ等の導体を通過させるための導体入口または出口通路３、光学的に纏め合わせ、光学的に取り除くために、この通路は、モジュール２の前方周縁のコーナーに近い位置に設けられている；
・特に、入口通路３を通って受け入れられた導体を巻き取るための第１および第２巻き取り手段４ａ、４ｂ；
・中小サイズのスプライス保護部をそれぞれ収納する、ファイバ間のスプライスを保持するための第１スプライス保持手段５１、５２、この手段は、ベースモジュール２の後方部に位置している；
・大サイズのスプライス保護部を収納するための取り外し可能な第２のスプライス保持手段；および
・ファイバおよび／またはケーブル型の導体を通すための導体入口／出口通路６、この通路は、第１および／または第２巻き取り手段４ａ、４ｂから来て、例えば、第２の追加モジュールへ２００、２００’と進む、巻かれた導体を誘導する入口／出口通路３とは異なっている。
【００２４】
第１および第２巻き取り手段は、両態様において、それぞれドラム４ａ、４ｂからなっており、それぞれのドラムは、半円状の周辺部を有しており、空いた空間、例えば空洞のまま残され、相互および入口／出口通路３に連絡する部分４１において、ファイバを巻き取ることができる。巻き取り手段４ａ、４ｂは、あらゆる余剰長さを処理することができ、ドラムの配置によって、巻き取り方向を変換することができる。更に、ラベルを携える位置４３は、巻き取りドラム４ｂの上に設定される。
【００２５】
巻き取り空間４１に面して、ベースモジュール２および／または手段４ａ、４ｂ周縁部に設けられた平らなタブ４２のような、スプライスおよび／または巻き取り導体を保持する延伸した保持手段がある。
スプライス保持手段５１から５３は、その間にスプライスが挟まれる一連のリブによって形成され、そして、リブは、異なる形式のスプライスに利用することができる利点がある。第１のスプライス保持手段５１および５２は、カセットから分離することができる。
【００２６】
取り外し可能な第２プライス保持手段５３は、第１巻き取り手段４ａの中にある収納位置に挿入される。使用位置において、第２スプライス保持手段は、第１スプライス保持手段５１および／または５２の代役をし、または、第１スプライス保持手段５２の上に積層される。
【００２７】
第１スプライス保持手段５１、５２の何れの側にも、ファイバのスプライスを誘導するための、そして、特に最小曲率半径に従っていることを確認するための誘導経路１５が設けられている。
入口および／または出口通路３は、導体を保持するための平らなタブ形状の保持手段３１を有しており、そして、ゾーン３２においてケーブル固定型の構成要素のための場所を提供する。
【００２８】
同様に、ファイバおよび／またはケーブル型の導体のための入口および／または出口通路６は、導体を保持するための平らなタブ形状の保持手段６１を有しており、そして、ゾーン６２においてケーブル誘導の構成要素のための場所を提供する。
【００２９】
更に、モジュール２は、カセット１、１’を回転させるための柔軟なアーム７を有しており、アームは、オーガナイザの（図示しない）ハウジングサポートに回転可能に搭載される（図３および４参照）。
アーム７は、カセット１、１’がオーガナイザの中の閉鎖位置にあるときに、折り曲げられてモジュール２に押し付けられ、カセットが開放位置に移動するときに、伸ばされる。モジュール２は、カセットが回転する間、誘導するためのスルーガイドスロット８を有しており、スルーガイドスロットは、オーガナイザサポートに取り付けられ、そして、取り付け軸に平行な（図示しない）ガイドピンを受け入れる。このスロットは、長方形で弓状に曲がった形状をしている。スロットは、アーム７が折り曲げられ押し付けられるモジュールの弓形形状のコーナに沿って実質的に伸びている。
【００３０】
柔軟なアーム７は、ハウジングサポートに取り付けるための２つの端末タブ７２を備えている。これらのタブ７２は、２つの機能を発揮する。第１に、タブ７２の外側部分は、ハウジングサポートの矩形の開口部にワンタッチ式で締付けられて、アーム７をそこに保持する。第２に、カセットが閉じているとき、入口／出口通路３の外側端に位置するフィンガ３３がタブ７２の間に挿入されて、閉じた状態に固定する。
【００３１】
アーム７は、その縦方向の２つの縁に取り付けられ、同じ側に突出して、導体、特に、第２の追加モジュール２００、２００’に向かって進む／またはそれから来る導体を保持する。アームは、導体を誘導するための一定の長さの誘導経路を形成し、それによって、カセットの回転間に導体に力が加わらないようにする。フィン７１は、好ましくは、アームの一方の縁から他方の縁へと交替し、アームが形成する経路における導体の挿入を容易にする。フィン７１は、導体を運ぶアーム７の部分だけに設けられる。少なくとも幾つかのフィンは、アーム７に面するような角度を備えた端末部分を有しており、導体を保持、保護して、誘導経路を形成する。おのずから、柔軟なアーム７は、一体としての一部分ではなく、モジュール２に取り付けることができる。
【００３２】
アーム７に沿った周辺部の端の部分６’は、好ましくは、取り外し可能で、導体の入口／出口用の新たな開口を形成する。
ベースモジュール２と第１の追加モジュール２０、２０’の間の脱着可能な接続に関して、ベースモジュール２は第１の追加モジュール２０、２０’のワンタッチ締付けタブ６０ｂ９０ｂを受け入れるための受け入れ手段６ａ、９ａを備えている。これらの手段６ａ、９ａは、入口／出口通路６の端部に１つと、通路６の反対側に位置する出口廊下９に他の１つがそれぞれ配置されている。ベースモジュール２は、更に、入口／出口通路３から離隔した後方の周縁部に配置された、第１の追加モジュール２０、２０’から突出しているタブ５０ａ、５０ｄ（幾つかは図示されていない）を受け入れるに適したクレネレーション５ａから５ｃを備えている。
【００３３】
第１の追加モジュール２０、２０’は、主として下記からなっている：
・導体、特に入口／出口通路６から来て第２の追加モジュール２００、２００’に向かう導体を誘導し、受け入れ手段６ａに挿入可能なワンタッチ締付けタブを形成する突出部６０ｂを備えた入口誘導廊下６０、６０’；
・導体、特に第２の追加モジュール２００、２００’から来る導体のための出口廊下９０、９０’と称され、受け入れ手段９ａの挿入に適したワンタッチ締付けタブの突出部９０ｂを備えた他の誘導廊下であって、出口廊下９０、９０’は廊下６０、６０’の反対側に位置している；
・ファイバ間のスプライスを保持するための、例えば手段５１、５２と類似の、２つの形式のスプライス保持手段５１０、５１０’（１つだけ見える）；そして、
・手段５１０、５１０’をカバーし、２つの操作スタッド１２ａ、１２ｂを含む保護カバー１２、１２’。
【００３４】
第２のスプライス保持手段５３は、取り外し可能な少なくとも手段５１０、５１０’の幾つかの代わりをする。保持手段５１０、５１０’のいずれの側にも、ベースモジュール２のチャネル１５に類似の誘導チャネル１５１、１５１’が設けられている。
【００３５】
追加モジュール間の脱着可能な接続に関して、第１の追加モジュール２０、２０’は、関係する誘導廊下６０、９０、６０’、９０’に配置された、第２の追加モジュール２００、２００’のワンタッチ締付けタブ６００ｂ、９００ｂを受け入れるための受け入れ手段６０ａ、９０ｂを備えている。第１の追加モジュールは、更に、第２の追加モジュールと接続する後方の周縁部に配置された、そこから突出しているタブ５００ａから５００ｄを受け入れるためのクレネレーション５０ｅから５０ｈを備えている。
【００３６】
第２の追加モジュール２００、２００’は、主として下記からなっている：
・導体、特に誘導廊下６０から来る導体のための、受け入れ手段６０ａに挿入可能なワンタッチ締付けタブを形成する突出部６００ｂを備えた入口通路６００、６００’；
・第２の追加モジュール２００、２００’によって受け入れられた導体のための、受け入れ手段９０ａの挿入に適したワンタッチ締付けタブの突出部９００ｂを備えた出口通路９００、９００’であって、通路９００、９００’は、通路６００、６００’の反対側に位置している。
【００３７】
第２の追加モジュール２００、２００’は、通路９００、９００’に近い後方周縁の角部に近接して突起しているフィンガ１７を有している。このフィンガ１７は、カセット１、１’よりも厚さが小さいので、他のカセットを積層するときに、選択され、把持される。その結果、積層されたカセットの中から所望のカセット１、１’が動かされて、そのカセットを開放位置に移動する。
【００３８】
更に、ベースモジュール２および追加モジュール２０、２０’、２００は、誘導チャネル１５、１５１、１５１’と保持手段５１、５１０、５１０’の間に、周縁部に形成され、保護カバー１２、１２’を回転することができる開口部１１、１１０、１１１を備えている。モジュール２００’は、前周縁部に同様の開口部１１１を備えている。
【００３９】
２つのスライドウエイ１７１、１７２によって、（図示しない）識別標識を配置することができ、そして、タブ１８は、移動における付き合わせ（支え）を提供する。
図１に示す第２の追加モジュールは、更に、（図示しない）２つのコネクタを保持する手段１４を備えている。これらの手段は、マルチパス入口／出口コネクタ等の、受け入れられるコネクタに適用される。
【００４０】
保持手段１４のいずれの側においても、モジュール２００の底１６が開放されており、モジュールは、誘導チャネル１５２、例えば、ベースモジュール２のチャネル１５に類似のチャネルを備えている。
図２に示す第２の追加モジュール２００’は、導体を保持するための保持手段１９を更に備えており、前記保持手段は、平らなタブ形状からなっており、前周縁部または後周縁部に取り付けられる。
【００４１】
（図示しない）第１実施態様の変形において、この発明のカセットは、取り外し可能部分６’を取り除き、出口通路６に置換えることによって形成される開口部を備えたベースモジュールを備えている。この変形においては、カセットは、好ましくは、スプライス保持のための第１の追加モジュールだけからなっている。上述した２つのモジュールは従って出口廊下を含まず、その結果、脱着可能なワンタッチ締付け型接続手段は、後周縁部の中央に向かってずれる。
【００４２】
図３および図４は、例えば、第１実施態様を参照して説明した上述した複数のカセット１からなるこの発明のオーガナイザ３００の斜視図である。
既に図１および図２に示したように、モジュール２００の後周縁部にはタブ１８および操作フィンガ１７が備えられている。各カセットの前方に向かって進むと、側周縁部には、アーム７に続く、ワンタッチ締付け受け入れ手段９ｂ、９０ｂが備えられている。
【００４３】
カセット１は、積層可能であり、ハウジングサポート３０１において回転するように搭載されている。オーガナイザは、更に、カセット１を覆う保護カバー３０２、および、オーガナイザをベイに取り付けるための２つの孔を有する上方張出部３０３を備えている（図５参照）。
各カセット向けの個別の誘導チャネルを備えた第１の多段スプレッダ装置３０４は、例えば、入ってくる主ケーブル、および／または、各カセットの（図示しない）入口／出口通路に進む分配ケーブルのフィバの取り込みおよび保持のために使用される。
【００４４】
同様に、各カセット向けの個別の誘導チャネルおよびフィン３０６を備えた他の多段スプレッダ装置３０５は、出ていく主ケーブル、および／または、各カセット１上にフィン７１を有するアーム７からくる（図示しない）分配ケーブルのフィバの取り出しおよび保持を可能にする。
【００４５】
図５は、図３を参照して説明したと同種類の３つのオーガナイザ３００ａから３００ｃを組み込んだベイ４００の１つの例を示す。
ベイは、４つの垂直な側板４０２ａ〜４０２ｄを備えたキャビネット４０１からなっている。各側板は、オーガナイザ、または、相互接続手段４０５ａ〜４０５ｃおよび誘導チャネル４０６ａ〜４０６ｃを有するクロス接続パネル４０４ａ〜４０４ｃの何れか１つに向かって進む導体Ｃ１、Ｃｓ１、Ｃｓ２を運ぶ複数の誘導部品４０３ａから４０３ｄを備えている。ベイ４００におけるオーガナイザの配置は変更することができる。
【００４６】
当然のことながら、上述した記述は純粋に説明のためになされたものである。この発明の範囲を逸脱することなく、各手段は、均等な手段によって置きかえることができる。
【００４７】
この発明の出口通路は、入り口通路もあり、その逆もありうる。追加モジュールの数、順序は、ユーザの要求によってきまる。
この発明の追加モジュールの接続−保持手段は、あらゆる部品を保持する手段である。
【００４８】
【発明の効果】
以上説明したように、この発明によると、巻き取りおよび導体間のスプライスを保持するためのモジュールカセットを提供することができる。カセットは、ファイバスプライスの余剰の長さを巻き取る機能を果すベースモジュールからなっており、少なくとも１つの追加モジュールを着脱可能な接続によってベースモジュールに取り付けることができ、顧客の要求に従って決定される、少なくとも１つの導体接続機能を果すことができる。
【図面の簡単な説明】
【図１】図１は、この発明の好ましい態様のモジュールカセットの斜視図である。
【図２】図２は、この発明の好ましい他の態様のモジュールカセットの斜視図である。
【図３】図３は、この発明のオーガナイザの斜視図である。
【図４】図４は、この発明のオーガナイザの斜視図である。
【図５】図５は、図３に示す種類の３つのオーガナイザを備えたベイの１つの例を示す図である。
【符号の説明】
１（モジュール）カセット
２ベースモジュール
３導体入口通路
４ａ第１導体巻取り手段
４ｂ第２導体巻取り手段
５ａ〜５ｄクレネレーション
６導体出口通路
７アーム
８スロット
９廊下
１２保護カバー
１４、５１０、５１０’接続−保持手段
２０、２０’、２００、２００’追加モジュール
５０ａ、５００ａ、６００ｂ着脱可能な接続手段
５１、５２第１保持手段
３００オーガナイザ
３０１ハウジングサポート
５１０保持手段
【図１】
2004126500.tif 000003
【図２】
2004126500.tif 000004
【図３】
2004126500.tif 000005
【図４】
2004126500.tif 000006
【図５】
2004126500.tif 000007
【外国語明細書】
2004126500.tif 000008
2004126500.tif 000009
2004126500.tif 000010
2004126500.tif 000011
2004126500.tif 000012
2004126500.tif 000013
2004126500.tif 000014
2004126500.tif 000015
2004126500.tif 000016
2004126500.tif 000017
2004126500.tif 000018
2004126500.tif 000019
2004126500.tif 000020
2004126500.tif 000021
2004126500.tif 000022
2004126500.tif 000023
2004126500.tif 000024
2004126500.tif 000025
2004126500.tif 000026
2004126500.tif 000027